(57)【要約】【課題】  リムーバブルメディアとの間で認証を行っていないＰＣ等のＡＶ再生装置においても、当該メディアに収録されている内容を確認できるようにし、ユーザの便宜を図ることができる「ＡＶ再生システム及びＡＶ再生方法」を提供すること。【解決手段】  リムーバブルメディアと、ＡＶ出力手段を有するＡＶ再生装置とを備えたＡＶ再生システムにおいて、リムーバブルメディアがＡＶ再生装置に接続されたときに、該再生装置から音楽等のファイルを要求する旨の指示を送信し（Ｓ１２）、該指示に応答してリムーバブルメディアから、当該再生装置が当該リムーバブルメディアとの間で認証を行っていない場合に、当該要求された音楽等のファイルにコピーや移動を不可にする編集防止機能をもたせて送信し（Ｓ２６）、当該再生装置において、送信されてきた当該音楽等のファイルの内容をＡＶ出力手段を介して表示する（Ｓ１３）。【選択図】  図４
2005197891.tif 000002
【特許請求の範囲】
【請求項１】
音楽又は映像のファイルを記録した記録媒体を有するリムーバブルメディアと、
音楽信号又は映像信号を音声出力又は表示するＡＶ出力手段を備えたＡＶ再生装置とを具備し、
前記リムーバブルメディアが前記ＡＶ再生装置に接続されたときに、該ＡＶ再生装置から音楽又は映像のファイルを要求する旨の指示を送信し、
該指示に応答して前記リムーバブルメディアから、前記ＡＶ再生装置が当該リムーバブルメディアとの間で認証を行っていない場合に、当該要求された音楽又は映像のファイルにコピーや移動を不可にする編集防止機能をもたせて送信し、
前記ＡＶ再生装置において、送信されてきた当該音楽又は映像のファイルの内容を前記ＡＶ出力手段を介して表示させることを特徴とするＡＶ再生システム。
【請求項２】
前記リムーバブルメディアから前記ＡＶ再生装置に対して、当該ＡＶ再生装置が当該リムーバブルメディアとの間で認証を行っている場合に、当該要求された音楽又は映像のファイルをそのまま送信することを特徴とする請求項１に記載のＡＶ再生システム。
【請求項３】
前記ＡＶ再生装置において、前記リムーバブルメディアから送信されてきた当該音楽又は映像のファイルに含まれる音楽データ又は映像データを前記ＡＶ出力手段を介して音声出力又は表示させることを特徴とする請求項１又は２に記載のＡＶ再生システム。
【請求項４】
前記ＡＶ再生装置において、前記リムーバブルメディアから送信されてきた当該音楽又は映像のファイルに含まれる音楽データ又は映像データを、元のビットレートよりも低いビットレートで、前記ＡＶ出力手段を介して音声出力又は表示させることを特徴とする請求項１に記載のＡＶ再生システム。
【請求項５】
音楽又は映像のファイルを記録したリムーバブルメディアと、音楽信号又は映像信号を音声出力又は表示するＡＶ再生装置とを備えたＡＶ再生システムにおいて、
前記リムーバブルメディアを前記ＡＶ再生装置に接続し、該ＡＶ再生装置から前記リムーバブルメディアに対して音楽又は映像のファイルを要求し、
前記リムーバブルメディアから前記ＡＶ再生装置に対して、当該ＡＶ再生装置が当該リムーバブルメディアとの間で認証を行っていない場合に、当該要求された音楽又は映像のファイルにコピーや移動を不可にする編集防止機能をもたせて送信し、
送信されてきた当該音楽又は映像のファイルの内容を前記ＡＶ再生装置において表示することを特徴とするＡＶ再生方法。
【請求項６】
前記ＡＶ再生装置において、前記リムーバブルメディアから送信されてきた当該音楽又は映像のファイルに含まれる音楽データ又は映像データを元のビットレートで、又は元のビットレートよりも低いビットレートで音声出力又は表示することを特徴とする請求項５に記載のＡＶ再生方法。
【発明の詳細な説明】
【技術分野】
【０００１】
本発明は、音楽(Audio) ／映像(Video) データを再生する技術に係り、特に、取り外しが可能なハードディスクドライブ（ＨＤＤ）、メモリスティック〔登録商標〕等の情報記録媒体（以下、「リムーバブルメディア」ともいう。）とパーソナルコンピュータ等のＡＶ（音楽／映像）再生装置との間でＡＶデータに化体された著作権の保護に配慮して当該データの利用を行うように適応されたＡＶ再生システム及びＡＶ再生方法に関する。
【背景技術】
【０００２】
近年、放送サービスのデジタル化が進み、双方向サービスや蓄積型サービス等の新サービスが始まっており、また、ネットワークのブロードバンド化等により、ＡＶ機器はネットワーク化し、パーソナルコンピュータ（以下、便宜上「ＰＣ」ともいう。）はＡＶ機器化している。こうした現状で次世代のデータプラットフォームを考えた場合、高速のアクセスが可能で、多様な情報が扱え、しかもＡＶ装置とＰＣが共通で扱える等の条件が求められる。このような条件を満たす代表的な情報記録媒体としてＨＤＤがあるが、モバイル性に欠けるという問題点がある。そこで、最近では、持ち運び可能な記録媒体として、取り外しが可能なＨＤＤ（リムーバブルＨＤＤ）が提案されている。このリムーバブルＨＤＤは、コネクタ形状やファイルシステムなどを標準化し、持ち運び可能とすることで、ＡＶ機器やＰＣなど幅広い用途に対応できるようにしたものである。
【０００３】
このようなリムーバブルＨＤＤは、例えば車載用ＡＶコントローラ（ヘッドユニット）に搭載されており、例えば、ヘッドユニットから取り外したＨＤＤをＰＣに接続して、専用ＰＣソフトを使用することにより、ＰＣからＨＤＤに音楽ファイルをコピーしたり、あるいはＨＤＤに収録されている音楽ファイルをＰＣ側にコピーしたりする等の編集作業を行うことができる。また、音楽ファイルのデータに限らず、映像データについても同様の利用態様が検討されている。
【０００４】
かかるリムーバブルＨＤＤには音楽データ又は映像データがデジタル形式で記録されるが、デジタルの音楽データ又は映像データは、音質又は画質を劣化させることなく記録、再生を繰り返すことができるので、著作権保護の観点から問題が発生することもある。このため、著作権を侵害するおそれのないＡＶ再生技術が要望されており、その一例として上記のような専用ＰＣソフトが用いられる。
【０００５】
上記の従来技術に関連する技術として、例えば、データを情報記録媒体に記録する際にデジタル署名及び公開鍵証明書を記録することで当該記録装置を特定可能とし、一方、情報再生装置においては、データを読み出す際に署名及び公開鍵証明書の正当性を確認し、データ記録者を特定し、公開鍵証明書等に改ざんの無いことを確認した後にデータを再生するようにしたものがある（例えば、特許文献１参照）。
【特許文献１】特開２００２−２３６６２２号公報
【発明の開示】
【発明が解決しようとする課題】
【０００６】
上述したように従来のリムーバブルメディア（ＨＤＤ等）を用いたＡＶ再生システムでは、例えば専用のＰＣソフトを使用することでＨＤＤとＰＣとの間で音楽ファイル等をコピーしたりする等の編集作業を行うことができるようになっている。この場合、ＨＤＤをＰＣに接続する際に、ＨＤＤとＰＣとの間で認証を行う。例えば、ユーザに固有のＩＤコード及びパスワードを入力し、予め登録されているＩＤコード及びパスワードと比較照合して、両者が一致したときに認証を行う。そして、一度認証されたＨＤＤを他のＰＣ（つまり、当該ＨＤＤとの間で認証を行っていないＰＣ）に接続して使用しようとすると、再認証が必要となる。
【０００７】
しかしながら、従来の専用ＰＣソフト等を用いた技術では、著作権保護の観点から、再認証の際に、ＨＤＤに収録されている音楽ファイル等のデータは全て消去されていた。また、再認証を行わない場合は、当該ＨＤＤと通信接続できないので、そのＨＤＤに収録されている音楽ファイルを聴くことはもちろんのこと、音楽ファイルの内容（例えば、楽曲名、アーティスト名など）を確認することすらできないといった不都合があった。
【０００８】
このように従来のリムーバブルメディアを用いたＡＶ再生システムでは、当該メディアとの間で認証を行った１台のＰＣでしかＨＤＤの内容を確認することができず、ユーザにとっては不便であった。
【０００９】
本発明は、かかる従来技術における課題に鑑み創作されたもので、リムーバブルメディアとの間で認証を行っていないＰＣ等のＡＶ再生装置においても、当該メディアに収録されている内容を確認できるようにし、ひいてはユーザの便宜を図ることができるＡＶ再生システム及びＡＶ再生方法を提供することを目的とする。
【００１０】
また、本発明は、リムーバブルメディアとの間で認証を行っていないＰＣ等のＡＶ再生装置においても、当該メディアに収録されているＡＶデータを著作権保護に配慮して再生することができるＡＶ再生システム及びＡＶ再生方法を提供することを目的とする。
【課題を解決するための手段】
【００１１】
上記の従来技術の課題を解決するため、本発明の一形態によれば、音楽又は映像のファイルを記録した記録媒体を有するリムーバブルメディアと、音楽信号又は映像信号を音声出力又は表示するＡＶ出力手段を備えたＡＶ再生装置とを具備し、前記リムーバブルメディアが前記ＡＶ再生装置に接続されたときに、該ＡＶ再生装置から音楽又は映像のファイルを要求する旨の指示を送信し、該指示に応答して前記リムーバブルメディアから、前記ＡＶ再生装置が当該リムーバブルメディアとの間で認証を行っていない場合に、当該要求された音楽又は映像のファイルにコピーや移動を不可にする編集防止機能をもたせて送信し、前記ＡＶ再生装置において、送信されてきた当該音楽又は映像のファイルの内容を前記ＡＶ出力手段を介して表示させることを特徴とするＡＶ再生システムが提供される。
【００１２】
この形態に係るＡＶ再生システムによれば、ＡＶ再生装置からリムーバブルメディアに対して音楽等のファイルを要求する旨のアクセスがあったときに、当該ＡＶ再生装置が当該リムーバブルメディアとの間で認証を行っていない場合には、当該リムーバブルメディアから当該ＡＶ再生装置に対し、当該要求された音楽等のファイルにコピーや移動を不可にする編集防止機能をもたせて送信するようにしている。その結果、当該リムーバブルメディアとの間で認証を行っていないＰＣ等のＡＶ再生装置においても、ＡＶ出力手段を介して、当該音楽等のファイルの内容（例えば、楽曲名、アーティスト名など）を確認することができる。これによって、ユーザの便宜を図り、「メディアに収録されている内容を確認したい」という要求を満たすことができる。
【００１３】
また、上記のＡＶ再生システムのＡＶ再生装置において、前記リムーバブルメディアから送信されてきた当該音楽又は映像のファイルに含まれる音楽データ又は映像データを、元のビットレートよりも低いビットレートで、前記ＡＶ出力手段を介して音声出力又は表示させるようにしてもよい。この場合には、当該メディアに収録されているＡＶデータを著作権保護に配慮して再生することができる。
【００１４】
また、本発明の他の形態によれば、音楽又は映像のファイルを記録したリムーバブルメディアと、音楽信号又は映像信号を音声出力又は表示するＡＶ再生装置とを備えたＡＶ再生システムにおいて、前記リムーバブルメディアを前記ＡＶ再生装置に接続し、該ＡＶ再生装置から前記リムーバブルメディアに対して音楽又は映像のファイルを要求し、前記リムーバブルメディアから前記ＡＶ再生装置に対して、当該ＡＶ再生装置が当該リムーバブルメディアとの間で認証を行っていない場合に、当該要求された音楽又は映像のファイルにコピーや移動を不可にする編集防止機能をもたせて送信し、送信されてきた当該音楽又は映像のファイルの内容を前記ＡＶ再生装置において表示することを特徴とするＡＶ再生方法が提供される。
【発明を実施するための最良の形態】
【００１５】
以下、本発明の実施の形態について、添付の図面を参照しながら説明する。
【００１６】
図１は、本発明に係るＡＶ再生システムの一実施形態としての音楽再生システムの構成を概略的に示したものである。
【００１７】
本実施形態に係る音楽再生システム３０は、ＰＣや車載用プレーヤなどの音楽再生装置１０と、リムーバブルメディア２０（本実施形態では、ＨＤＤ）とを備えており、音楽再生装置１０とＨＤＤ２０とは、各々に設けられた専用のＵＳＢ(Universal Serial Bus)用端子１，２を介してＵＳＢケーブル３により接続されている。
【００１８】
音楽再生装置１０は、マイクロコンピュータ等により構成された主制御部１１と、ユーザによる操作指示を入力するための各種の操作キーを備えた操作部１２と、ＬＣＤパネルや有機ＥＬパネル等により構成された表示部１３と、通信制御部１４と、音楽データを格納しておくための音楽データ格納部１５と、音楽データ処理部１６と、アンプ１７と、スピーカ１８とを備えている。表示部１３は、主制御部１１によりその表示が制御され、その表示画面には、本発明に関連する情報として、リムーバブルメディア（ＨＤＤ２０）に収録されている音楽ファイルの内容に関する情報（例えば、楽曲名、アーティスト名、アルバム名など）が表示される。
【００１９】
また、通信制御部１４は、基本的には、主制御部１１とリムーバブルメディア（ＨＤＤ２０）との間でデータ（この場合、音楽データ）のデータの授受を制御するインタフェースとしての機能を有している。すなわち、ＨＤＤ２０側からＵＳＢケーブル３を介して送られてきた音楽データは、通信制御部１４を介して入力され、主制御部１１からの制御に基づいて音楽データ格納部１５に一時的に格納され、一方、音楽データ格納部１５に格納されている音楽データは、必要に応じて主制御部１１により読み出され、音楽データ処理部１６に供給されたり、或いは通信制御部１４を介してＵＳＢケーブル３に送出される。さらに、本発明に関連する機能として、この通信制御部１４にはユーザ又は音楽再生装置１０に固有のＩＤコード及びパスワードが記憶されており、ＨＤＤ２０にアクセスする際にはこのＩＤコード及びパスワードを使ってログインする。
【００２０】
また、音楽データ処理部１６は、基本的には、主制御部１１を介して音楽データ格納部１５から読み出されたデジタルの音楽データを伸長処理（デコード）し、さらにデジタル／アナログ変換を行ってアナログのオーディオ信号を生成する。さらに音楽データ処理部１６は、主制御部１１からの制御に基づいて、音楽データ格納部１５から読み出した音楽データを、元のビットレートよりも低いビットレートに変換して出力する機能を有している。音楽データ処理部１６から出力されたオーディオ信号は、アンプ１７を通して増幅された後、スピーカ１８を介して音声出力される。
【００２１】
一方、リムーバブルメディア２０は、記録媒体２１（この場合、ハードディスク）と、この記録媒体２１に対してデータの読み出し及び書き込みを制御するためのデータ読み出し／書き込み制御部２２とにより構成されている。本実施形態では、リムーバブルメディア（ＨＤＤ２０）は、車載用ＡＶコントローラ（ヘッドユニット）に搭載されている。
【００２２】
リムーバブルメディア２０の記録媒体２１には、本発明に関連するデータとして、所定のオーディオ信号圧縮技術を用いて圧縮処理（エンコード）された音楽ファイルのデータが格納されている。本実施形態では、リムーバブルメディア２０としてＨＤＤを用いているので、例えば、ＭＰ３(MPEG1 Audio Layer 3) 等により、サンプリングレートが４４．１ｋＨｚで、ビットレートが１２８ｋｂｐｓ／１６０ｋｂｐｓ／１９２ｋｂｐｓの音楽データに圧縮されて格納されている。また、リムーバブルメディア２０の他の形態としてメモリスティックを用いた場合には、例えば、ＡＴＲＡＣ３(Adaptive TRansform Acoustic Coding 3)により、サンプリングレートが４４．１ｋＨｚで、ビットレートが１０５ｋｂｐｓ／１３２ｋｂｐｓの音楽データに圧縮されて格納される。記録媒体２１に格納されている音楽ファイルには、音楽データ（実データ）以外の付加情報として、当該音楽ファイルの内容（楽曲名、アーティスト名、アルバム名など）を示す情報が付加されている。
【００２３】
また、データ読み出し／書き込み制御部２２には、予めログインを許可するユーザ又は音楽再生装置１０のＩＤコード及びパスワードが登録されている。本実施形態では、データ読み出し／書き込み制御部２２は、アクセスしてきた外部機器（音楽再生装置１０）に対しＩＤコード及びパスワードを要求し、基本的には、送られてきたＩＤコード及びパスワードが予め登録されているＩＤコード及びパスワードと一致したときにログインを許可し、仮に一致しない場合でも、後述するように条件付きでログインを許可する。
【００２４】
以上のように構成された本実施形態に係る音楽再生システム３０において、音楽再生装置１０は「ＡＶ再生装置」に、表示部１３及びスピーカ１８は「ＡＶ出力手段」に、それぞれ対応している。
【００２５】
図２は、上記の音楽再生システム３０において音楽再生装置１０（この場合、ＰＣ）とリムーバブルメディア２０（この場合、ＨＤＤ）の間で行う音楽ファイルの送受信及び利用に係る各種態様を示したものである。
【００２６】
図２において、（ａ）は認証されたＨＤＤ２０を認証したＰＣ１０に接続した場合を例示しており、例えば、ヘッドユニットに搭載されたＨＤＤ２０を手持ちのＰＣ（音楽再生装置１０）に接続して認証を行い、当該ＰＣから音楽ファイルを適宜コピーした後、この認証されたＨＤＤ２０を車両から取り外し、再び元のＰＣ（認証を行った音楽再生装置１０）に接続した場合を想定している。
【００２７】
一方、図２の（ｂ）は認証されたＨＤＤ２０を認証していないＰＣ１０に接続した場合を例示しており、例えば、ヘッドユニットに搭載されたＨＤＤ２０を車載用プレーヤ（音楽再生装置１０）に接続して認証を行い、当該プレーヤから音楽ファイルを適宜コピーした後、この認証されたＨＤＤ２０を車両から取り外して部屋のＰＣ（つまり、認証を行っていない音楽再生装置１０）に接続した場合を想定している。
【００２８】
図３は、図２（ｂ）における「低ビットレートで再生」の一例を示したものである。図示の例では、認証を行ったＰＣ１０については、ＨＤＤ２０に収録されている音楽ファイルのビットレート（例えば、ＣＤ並みのビットレート）で再生出力し、認証を行っていないＰＣ１０については、ＨＤＤ２０に収録されている音楽ファイルのビットレートを約１／２のビットレート（例えば、ＡＭラジオ並みのビットレート）に落として再生出力している。このようにビットレートを下げて（つまり、音質を劣化させて）再生出力しているのは著作権保護に配慮したものであるが、著作権法上、必ずしもビットレートを下げて再生出力する必要はないものと解される。すなわち、図２（ｂ）に例示したように、ＨＤＤ２０に収録されている音楽ファイルの音楽データ以外の内容（楽曲名、アーティスト名、アルバム名など）の確認、あるいは収録されている音楽を聴くだけ（音楽ファイルの編集作業は禁止）の利用態様であれば、著作権を侵害するおそれは無いものと解される。
【００２９】
以下、本実施形態に係る音楽再生システム３０において音楽再生装置１０（ＰＣ、車載用プレーヤなど）とリムーバブルメディア２０（ＨＤＤ）の間で行う音楽ファイルの送受信及び利用に係る処理について、その処理フローの一例を示す図４を参照しながら説明する。
【００３０】
先ず、前提条件として、ヘッドユニットに搭載されたＨＤＤ２０（リムーバブルメディア）を、当該ヘッドユニットを介して車載用プレーヤ（音楽再生装置１０）に接続して認証を行い、当該プレーヤから音楽ファイルを適宜コピーした後、この認証されたＨＤＤ２０を車両から取り外して、新たに音楽再生装置１０に接続したものとする。この場合、接続される音楽再生装置１０としては、図２（ａ）に例示したように認証を行った元の音楽再生装置（この前提条件では、車載用プレーヤ）の場合と、図２（ｂ）に例示したように認証を未だ行っていない別の音楽再生装置（図示の例では、ＰＣ１０）の場合の２通りが考えられる。
【００３１】
先ず、最初のステップＳ２１では（メディア側）、音楽再生装置１０にＵＳＢケーブル３を介して接続されると、データ読み出し／書き込み制御部２２が、ＩＤコード及びパスワード（「ＩＤコード等」という。）を要求する。
【００３２】
次のステップＳ１１では（再生装置側）、メディア２０側からの要求に応答して通信制御部１４が、予め記憶している自己のＩＤコード等を送信する。
【００３３】
次のステップＳ２２では（メディア側）、データ読み出し／書き込み制御部２２において、再生装置１０側から送られてきたＩＤコード等が、予め登録されているＩＤコード等と一致する（ＹＥＳ）か否（ＮＯ）かを判定する。判定結果がＹＥＳの場合、すなわち、認証されたメディア（ＨＤＤ２０）を接続した相手側の再生装置が認証を行った元の再生装置（車載用プレーヤ）の場合には、ステップＳ２３に進み、ログインを許可する。
【００３４】
一方、判定結果がＮＯの場合、すなわち、認証されたメディア（ＨＤＤ２０）を接続した相手側の再生装置が認証を未だ行っていない別の再生装置（例えば、部屋のＰＣ）の場合には、ステップＳ２４に進み、条件付きでログインを許可する。例えば、メディア（ＨＤＤ２０）に収録されている音楽ファイルの内容の確認と音楽データの再生のみを許可する旨を通知する。なお、予め登録されているＩＤコード等と一致しない場合、従来は、再生装置側との間で再認証を行い、この再認証の際に、ＨＤＤに収録されている音楽ファイルを全て消去していたが、本発明では、消去せずにＨＤＤ内に残しておく。
【００３５】
次のステップＳ１２では（再生装置側）、ユーザによる操作部１２を介しての入力操作に基づいて主制御部１１により、通信制御部１４を介して、メディア（ＨＤＤ２０）に収録されている音楽ファイルを要求する旨の指示を送信する。
【００３６】
次のステップＳ２５又はＳ２６では（メディア側）、再生装置１０側からの要求に応答してデータ読み出し／書き込み制御部２２が、ステップＳ２２で行った判定結果に基づいて、相手側の再生装置を認証している場合には、記録媒体２１から当該音楽ファイルを読み出してそのまま送信し（ステップＳ２５）、相手側の再生装置を認証していない場合には、記録媒体２１から読み出した当該音楽ファイルにコピーや移動を不可にする編集防止機能をもたせて送信する（ステップＳ２６）。そして、メディア２０側での処理フローは「終了」となる。
【００３７】
次のステップＳ１３では（再生装置側）、主制御部１１により、メディア２０側から送信されてきた音楽ファイル（データ）を通信制御部１４を介して受信し、当該データを音楽データ格納部１５にいったん格納した後、表示部１３の画面に、当該音楽ファイルの内容（楽曲名、アーティスト名、アルバム名等）を表示する。また、音楽データ格納部１５から当該音楽ファイルの音楽データを読み出して音楽データ処理部１６に供給し、該処理部１６において適宜信号処理（伸長処理、デジタル／アナログ変換、低ビットレートへの変換など）を行い、さらにアンプ１７を通して増幅した後、スピーカ１８から元のビットレート（又は図３に例示したような低ビットレート）で再生出力する。そして、再生装置１０側での処理フローは「終了」となる。
【００３８】
以上説明したように、本実施形態に係る音楽再生システム３０によれば、音楽再生装置１０からリムーバブルメディア（ＨＤＤ２０）に対して音楽ファイルを要求する旨のアクセスがあったときに、その音楽再生装置１０がＨＤＤ２０との間で認証を行った音楽再生装置であるか否かにかかわらず、その要求された音楽ファイルが当該音楽再生装置１０に配信されるようになっている。但し、その音楽再生装置１０がＨＤＤ２０との間で認証を行っていない場合には、その要求された音楽ファイルにコピーや移動を不可にする編集防止機能をもたせたものが当該音楽再生装置１０に配信される。このようにして、ＨＤＤ２０との間で認証を行っていないＰＣ等の音楽再生装置１０においても、表示部１３の画面を通して、当該音楽ファイルの内容（例えば、楽曲名、アーティスト名など）を確認することができる。これによって、ユーザの便宜を図ることができ、ユーザの「ＨＤＤ２０に収録されている内容を確認したい」という要求を満たすことができる。
【００３９】
また、リムーバブルメディア（ＨＤＤ２０）に対してアクセスを行った音楽再生装置１０がＨＤＤ２０との間で認証を行った音楽再生装置であるか否かにかかわらず、当該音楽再生装置１０に音楽ファイルが配信されるようになっているので、ＨＤＤ２０との間で認証を行っていないＰＣ等の音楽再生装置１０においても、スピーカ１８を介して、当該音楽ファイルに含まれる音楽データを元のビットレートで、あるいは著作権保護に配慮して低ビットレートで、再生出力することができる。
【００４０】
上述した実施形態では、ＰＣ等の音楽再生装置１０側で再生する情報の対象として音楽ファイル（データ）を例にとって説明したが、本発明の要旨から明らかなように、再生する情報は音楽データに限定されず、映像データであってもよいことはもちろんである。再生する情報が映像データの場合の例としては、例えば、コピー・コントロール機能もしくはプロテクト機能の付いたＤＶＤユニットに録画し、自分で持ち運びしていて、ＰＣ（映像再生装置）に接続したときに見えるようにした場合が考えられる。
【００４１】
また、上述した実施形態では、音楽再生装置１０に接続されるリムーバブルメディアの形態としてＨＤＤ２０を例にとって説明したが、リムーバブルメディアの形態はこれに限定されず、例えば、メモリスティック等を用いてもよいことはもちろんである。
【図面の簡単な説明】
【００４２】
【図１】本発明に係るＡＶ再生システムの一実施形態としての音楽再生システムの構成を概略的に示すブロック図である。
【図２】図１のシステムにおいて音楽再生装置とリムーバブルメディアの間で行う音楽ファイルの送受信及び利用に係る各種態様を示す図である。
【図３】図２（ｂ）における「低ビットレートで再生」の一例を示す図である。
【図４】図１のシステムにおいて音楽再生装置とリムーバブルメディアの間で行う音楽ファイルの送受信及び利用に係る処理の一例を示すフロー図である。
【符号の説明】
【００４３】
３…ＵＳＢケーブル、
１０…音楽再生装置（ＡＶ再生装置）、
１１…主制御部、
１３…表示部（ＡＶ出力手段）、
１４…通信制御部、
１５…音楽データ格納部、
１６…音楽データ処理部、
１８…スピーカ（ＡＶ出力手段）、
２０…リムーバブルメディア、
２１…記録媒体、
２２…データ読み出し／書き込み制御部、
３０…音楽再生システム（ＡＶ再生システム）。
【図１】
2005197891.tif 000003
【図２】
2005197891.tif 000004
【図３】
2005197891.tif 000005
【図４】
2005197891.tif 000006